(57)【特許請求の範囲】
【請求項１】
所定の間隔を置いて配置される上下基板と、上下基板の内側対向面で形成される導電膜と、導電膜の間に注入される液晶と、液晶の注入口を除外した上下基板の縁部で燒結あるいは塗布されて上下基板を接着させるシール材と、前記上下基板及びシール材の外郭面の全面に配置されて液晶の温度変化を防止する断熱材と、断熱材が配置された上下基板の外側面に付着される上下偏光板を含む液晶表示素子。
【請求項２】
前記断熱材は錫酸化物系列よりなる請求項１記載の液晶表示素子。
【発明の詳細な説明】
【０００１】
【発明の属する技術分野】
本発明は液晶表示素子に関するもので、より詳しくは温度変化による液晶の物性変化を防止することにより高温と低温で安定的に使えられる液晶表示素子に関する。
【０００２】
【従来の技術】
一般に液晶表示素子は電圧印加によって配列方向が変化する液晶の特性を利用したもので、低消費電力と低電圧で駆動でき薄型化、軽量化などの長所を有するのでノートブック型情報処理機器と小型テレビジョン、電子時計、計算機などの携帯型電子製品の表示装置に使われている。
【０００３】
図２は従来技術による液晶表示素子の断面図で、所定の間隔を置いて配置される上下基板１、３と、上下基板１、３の内側対向面に形成される導電膜５と、導電膜５間に注入される液晶７と、上下基板１、３を接着させるシール材９と上下基板１、３の外側面に各々付着される上下偏光板１１、１３が図示されている。
【０００４】
前記上下基板１、３は透明な材質よりなり、所定の間隔を置いて液晶７の注入口（図示しない）を除外した縁部にシール材９が塗布あるいは燒結されて一体に接着されている。
【０００５】
前記上下基板１、３の内側対向面にＩＴＯ（Ｉｎｄｉｕｍ  Ｔｉｎ  Ｏｘｉｄｅ）導電膜５が形成されるが、これは上基板１と下基板３の内側対向面に各々水平方向と垂直方向の電極パタンを形成し、外部の駆動回路（図示しない）によって電圧が印加されている。
そして前記水平方向導電膜５ａと垂直方向導電膜５ｂが対向する交差点は一つの画素をなすようになる。
【０００６】
前記導電膜５の間に注入される液晶７は螺旋上に９０度曲げられた状態で配列されるが、前記導電膜５に電圧が印加されると液晶７はその曲げられた状態が解かれて垂直方向に再配列して導電膜５に印加される電圧変化によって前記液晶表示素子１５への入射光の透過量を調節するようになる。
【０００７】
そして上下基板１、３の外側面には上下偏光板１１、１３が付着され、前記上偏光板１１と下偏光板１３の偏光軸は直交し合って付着されている。
【０００８】
これで液晶の配列変化によって液晶表示素子は所定の数字、文字または画像を具現して使用者に伝達するものである。
【０００９】
【発明が解決しようとする課題】
しかし、従来の液晶表示素子は高温と低温で液晶の物性が変わって室温での駆動特性が具現されない問題点がある。
即ち、低温で前記液晶は結晶の性質を表すので、電圧変化によって配列変化速度が遅くなり、応答時間が遅くなる。
一方、高温で前記液晶は液体の性質を表すようになって液晶の異方性即ち、長軸方向屈折率と短軸方向屈折率が液晶層全体に一定に維持される性質が室温でのように維持されないので所望する所定の配列状態をなすことができなく、画像具現に於いてコントラストが低下する問題点が生ずる。
【００１０】
【課題を解決するための手段】
本発明は前記問題点を解消するために案出されたもので、本発明の目的は温度変化による液晶の物性変化を防止して高温と低温でも安定的に駆動できる液晶表示素子を提供することにある。
前記目的を達成するために本発明は所定の間隔を置いて配置される上下基板と、上下基板の内側対向面に形成される導電膜と、導電膜の間に注入される液晶と、液晶の注入口を除外した上下基板の縁部に燒結または塗布されて上下基板を接着させるシール材と前記上下基板及びシール材の外郭面に配置されて液晶の温度変化を防止する断熱材と、断熱材が配置された上下基板の外側面に付着される上下偏光板を含む液晶表示素子を提供する。
これによって断熱材によって高温及び低温でも液晶の物性は変わらないので外部温度の変化に関係なく室温での駆動特性を実現できる。
【００１１】
【発明の実施の形態】
以下、添付図面を参照にして本発明の好適な一実施形態を説明する。
図１は本発明による液晶表示素子の断面図で、所定の間隔を置いて配置される上下基板２、４と、上下基板２、４の内側対向面に形成される導電膜６と、導電膜６の間に注入される液晶８と、上下基板２、４を接着させるシール材１０と、上下基板２、４及びシール材１０の外郭面に塗布される断熱材１２と上下基板２、４の外側面に付着される上下偏光板１４、１６が図示されている。
【００１２】
前記上下基板２、４は透明材質よりなり、所定の間隔を置いて液晶８の注入口（図示しない）を除外した縁部にシール材１０が塗布あるいは燒結されて一体に接着されている。
【００１３】
そして上下基板２、４の内側対向面にＩＴＯ導電膜６が配置されるが、これは上基板２の内側に水平方向の電極パタンを成す水平方向導電膜６ａと、下基板４の内側に垂直方向の電極パタンを成す垂直方向導電膜６ｂで構成されている。
【００１４】
前記水平方向導電膜６ａと垂直方向導電膜６ｂが対向する交差点は液晶表示素子１８の一画素をなし、前記導電膜６は外部の駆動回路（図示しない）によって電圧が印加されている。
【００１５】
そして前記導電膜６間に液晶８を注入すると、前記液晶８は導電膜６間に９０度曲げられた状態をなし、前記導電膜６に電圧が印加されると液晶８はその曲げられた状態が解かれて垂直方向に再配列される。
それで導電膜６に印加される電圧変化によって前記液晶表示素子８に入射される光の透過量が調節されるものである。
【００１６】
かかるように行われる上下基板２、４及びシール材１０の外郭面即ち液晶セルのあらゆる外郭面に断熱材１２を塗布し、断熱材１２が塗布された上下基板２、４の外側面に偏光軸が直交するように上偏光板１４と下偏光板１６を各々付着している。
【００１７】
前記断熱材１２は透明材質で錫酸化物系列のいろいろの添加物が混合されてからなり、外部の温度を遮断して高温と低温で液晶８の物性が変わることを防止する。
前記断熱材１２の塗布はスプレー方式以外の色々の方式が可能である。
さらに、前記断熱材１２は塗布するものに限らず、錫酸化物系列のいろいろの添加物が混合された断熱材としての透明薄膜を重ね合わせるように配置するものであってもよいし、その他の公知の手法が利用できる。
【００１８】
これで前記液晶８は断熱材１２によって高温及び低温でも室温での物性を維持するようになって周囲温度に関係なく室温での駆動特性を維持するものである。
【００１９】
上述の実施形態では、前記上下基板及びシール材の外郭面に配置されて液晶の温度変化を防止する断熱材を配置し、その外側面に付着される上下偏光板を含む液晶表示素子について説明したが、液晶表示素子としては、前記上下基板の外側面に付着される上下偏光板及びシール材の外郭面に配置され、液晶の温度変化を防止する断熱材を備えた液晶表示素子としてもほぼ同様の効果を奏することができる。
【００２０】
【発明の効果】
かかるように本発明は断熱材を塗布することによって外部の温度変化が液晶に及ぼす影響を遮断して高温及び低温でも液晶が室温での物性を維持させる。これで高温と低温でコントラストが低下されたり応答時間が遅くなるなどの問題点なく室温での駆動特性が実現できる効果がある。
【図面の簡単な説明】
【図１】本発明による液晶表示素子の断面図である
【図２】従来技術による液晶表示素子の断面図である
【符号の説明】
２      上基板
４      下基板
６      導電面
８      液晶
１０    シール材
１２    断熱材
１４    上偏光板
１６    下偏光板
【図１】
0004485610.tif 000002
【図２】
0004485610.tif 000003